(57)【要約】【課題】コネクタ端子が設けられた基板とシールドとの取り付け作業の際に、端子コネクタへのシールドの当接を適正に確保する技術を提供する。【解決手段】シールド２０において、コネクタ固定部４０は、コネクタ用開口３０の外縁部分において、内部側に屈曲したコネクタ固定部４０が形成されている。コネクタ固定部４０は、舌片状の基部４２とその先端部分に形成された先端凸部４４とを備えている。ここでは、基部４２の先端部分が下側方向、つまりＨＤＭＩコネクタ６０の方向に、絞り加工によって凸状に加工され、先端凸部４４が形成されている。【選択図】図４
2014057030.tif 000002
【特許請求の範囲】
【請求項１】
金属板によって形成されたシールドであって、
端子コネクタが配置される開口部と、
前記開口部の内側に屈曲されて前記金属板から延出する舌片状の端子固定部と、
前記端子固定部の先端近傍に形成された加工部と、
を有し、
前記加工部は、前記端子コネクタが配置される側に向かって加工されている
ことを特徴とするシールド。
【請求項２】
請求項１のシールドと端子コネクタとを有することを特徴とする薄型表示装置。
【発明の詳細な説明】
【技術分野】
【０００１】
本発明は、端子コネクタが固定されるシールド及びそのようなシールド及び端子コネクタを有する薄型表示装置に関する。
【背景技術】
【０００２】
一般的に、液晶テレビのメイン基板のシールドでは、図１０や図１１で示すシールド基板構造のように、シールド１２０、２２０の天面部１２１、２２１又は天面部１２１、２２１の端部に曲げ加工（絞り加工）等を施して形成したコネクタ固定部１４０、２４０を、ＨＤＭＩコネクタ１６０の天面部１６２の比較的先端付近に押圧するように接合させることで、接地が図られている。
【０００３】
その様な接地態様について各種の技術が提案されている。例えば、電子機器のプリント基板をワッシャを用いないで、シールドケースにねじ止めし、プリント基板を接地・固定する技術がある（例えば、特許文献１参照）。具体的には、プリント基板裏面側の取付孔周縁のアースパターン上に半田の盛上げを形成し、シールドケースの切起しのねじ孔周縁に突起を形成し、半田の盛上げに突起を食込ませて取付ねじをねじ孔にねじ止めする構造が提案されている。
【０００４】
また、シールドケース側面に形成されている舌片の根元にはシールドケース外方への曲げを、逆に回路基板を保持する舌片の先端には内方への曲げを設けておき、その舌片を回路基板が組み込まれた後に、回路基板方向に押し込むことにより、固定を実現する技術がある（例えば、特許文献２参照）。この技術によって、回路基板に負荷をかけずに、回路基板とシールドケースを固定することを図っている。
【先行技術文献】
【特許文献】
【０００５】
【特許文献１】特開平６−２８３８７１号公報
【特許文献２】特開平６−１８８５８６号公報
【発明の概要】
【発明が解決しようとする課題】
【０００６】
ところで、一般的なシールド形状は、シールド天面又は天面端部の曲げ加工（絞り加工）でシールド部材を当接させることが出来る位置にＨＤＭＩコネクタの先端部分が存在する構造であった。しかしながら、上記の曲げ加工のシールドとＨＤＭＩコネクタはいわゆるゼロ勘合で接する構造が採用される。しかし、加工のバラツキや、当接面積が小さかったり、輸送時やテレビ本体に衝撃がかかる等で、当接部の変形やズレが生じ、接地が確実にとれなくなることがあるという課題があり、改善が望まれていた。
【０００７】
また、ＨＤＭＩコネクタと同列にＲＣＡ端子ユニットが並ぶ構造の場合、シールドの高さが、ＲＣＡ端子ユニットの高さまで持ち上がる。その結果、従来の様にシールド天面や天面端部からの曲げ加工を施す構造をＨＤＭＩコネクタとの接合構造に採用できないという課題があった。
【０００８】
さらに、例えば図１０（ｂ）に示すように、ＨＤＭＩコネクタ１６０のコネクタ天面部１６２において、コネクタ固定部１４０の先端より前方側部分（図示で右側部分）が外部に露出することになり、いわゆる「静電が端子部分に直接飛ぶ」現象が起こる可能性が有り、静電耐性に改善が求められていた。
【０００９】
また、特許文献１や特許文献２に開示の技術では、上述の課題に対して十分に対応できない。つまり、特許文献１に開示の技術では、ねじ固定部分の接地確保を目的とする構造であって、上記課題に対してそのまま適用できず、別の技術が求められていた。また、特許文献２に開示の技術では、シールドと端子コネクタを接触させるために舌片を曲げるという作業が必要であり、作業効率等の観点からこの技術を採用することはできず別の技術が求められていた。また、条件によっては、修理等の際に繰り返しの曲げ作業が発生しその部分が脆弱になってしまうおそれがあり、別の技術が必要とされていた。
【００１０】
本発明は以上のような状況に鑑みなされたものであって、上記課題を解決する技術を提供することを目的とする。
【課題を解決するための手段】
【００１１】
本発明の態様は、金属板によって形成されたシールドであって、端子コネクタが配置される開口部と、前記開口部の内側に屈曲されて前記金属板から延出する舌片状の端子固定部と、前記端子固定部の先端近傍に形成された加工部と、を有し、前記加工部は、前記端子コネクタが配置される側に向かって加工されている。
本発明の別の態様は、薄型表示装置であって、上記のシールドと端子コネクタとを有する。
【発明の効果】
【００１２】
本発明によれば、コネクタ端子が設けられた基板とシールドとの取り付け作業の際に、端子コネクタへのシールドの当接を適正に確保する技術を提供することができる。
【図面の簡単な説明】
【００１３】
【図１】実施形態に係る、シールドを示す図である。
【図２】実施形態に係る、シールドのコネクタ用開口及びコネクタ固定部を示す図である。
【図３】実施形態に係る、ＨＤＭＩコネクタが配置された状態のシールドを示す斜視図である。
【図４】実施形態に係る、ＨＤＭＩコネクタが配置された状態のシールドを示す背面斜視図である。
【図５】実施形態に係る、ＨＤＭＩコネクタが配置された状態のシールドを示す側面側の断面図である。
【図６】実施形態に係る、ＨＤＭＩコネクタを有する基板とシールドとの接続手順を示す図である。
【図７】実施形態に係る、ＨＤＭＩコネクタを有する基板とシールドとの接続手順を示す図である。
【図８】実施形態に係る、ＨＤＭＩコネクタを有する基板とシールドとの接続手順を示す図である。
【図９】実施形態の変形例に係る、シールドのコネクタ固定部を示す図である。
【図１０】背景技術に係る、シールドを示す図である。
【図１１】背景技術に係る、シールドを示す図である。
【発明を実施するための形態】
【００１４】
次に、本発明を実施するための形態（以下、単に「実施形態」という）を、図面を参照して具体的に説明する。
【００１５】
図１は、本実施形態に係るシールド２０を示す図であり、図１（ａ）は斜視図、図１（ｂ）は側面側の断面図である。また、図２は、シールド２０のコネクタ用開口３０及びコネクタ固定部４０の部分を着目して示した図であり、図２（ａ）は外側方向（図１（ａ）の矢印Ａ１方向）から見た図であり、図２（ｂ）は内側方向（図１（ａ）の矢印Ａ２方向）から見た図であり、図２（ｃ）はコネクタ固定部４０が加工される前の状態を示した図である。さらに、図３は、図１（ａ）にＨＤＭＩコネクタ６０等を配置させた状態を示した図である。図４は、ＨＤＭＩコネクタ６０を配置させた状態を背面側（内部側：図３の矢印Ａ２方向）から示した斜視図である。図５は、ＨＤＭＩコネクタ６０を配置させた状態を示した断面図である。
【００１６】
シールド２０は、液晶テレビ等の薄型表示装置に用いられるものであって、ＨＤＭＩコネクタ６０やＵＳＢ端子コネクタ８０等の端子を備えた基板９５に取り付けられる。シールド２０は、スチール板やアルミニウム板を所定の曲げ加工等することによって、天面部２１と、天面部２１から下側に垂直折れ曲がった前面部２２及び前面部２２から前方に垂直折れ曲がった平面部２３等を有している。
【００１７】
シールド２０の前面部２２には、ＨＤＭＩコネクタ６０やＵＳＢ端子の為のコネクタ用開口３０、９０等が設けられている。なお、本実施形態では、ＨＤＭＩコネクタ６０のコネクタ用開口３０の構造に特徴を持たせているため、おもにＨＤＭＩコネクタ６０のコネクタ用開口３０及びコネクタ固定部４０について説明し、他の構造等については説明を適宜省略する。
【００１８】
コネクタ固定部４０は、シールド２０の前面部２２に設けられたコネクタ用開口３０の外縁部分において、内部側に屈曲したコネクタ固定部４０が形成されている。コネクタ固定部４０は、舌片状の基部４２とその先端部分に形成された先端凸部４４とを備えている。ここでは、基部４２の先端部分が下側方向、つまりＨＤＭＩコネクタ６０の方向に、絞り加工によって凸状に加工され、先端凸部４４が形成されている。なお、先端凸部４４は、絞り加工の場合、当接部分を面として確保できることから、接地を十分に確保しやすい。なお、先端凸部４４は、設計上十分な接地性能が確保できるのであれば、単純な曲げ加工であってもよいし、半球状の凸形状であってもよい。さらに、加工前において曲げ加工される部分が明確に分かるように形成されてもよい。
【００１９】
より具体的には、まず図２（ｃ）に示すように、ＨＤＭＩコネクタ６０のコネクタ用開口３０として、従来では抜いて捨てる部分の領域を、左右底辺の３辺だけ抜いて残す形状が加工される。さらに、基部４２の先端部分の所定の領域には、先端凸部４４が絞り加工される。つづいて、舌状となった部分である基部４２を、残った一辺（ここでは上辺）を軸に内側（ＨＤＭＩ端子口内）に押し曲げる。このとき、先端凸部４４の下面側の最も低い位置は、ＨＤＭＩコネクタ６０の高さより若干低い位置（例えば０．２ｍｍ〜０．３ｍｍ程度低い位置）になっている。
【００２０】
つづいて、シールド２０を基板９５に取り付ける手順について、図６〜８を参照して簡単に説明する。
【００２１】
まず、基板９５に対して、シールド２０は図示右側を若干下に向けて配置される。これは、内側に屈曲しているコネクタ固定部４０の先端凸部４４が、固定時においてＨＤＭＩコネクタ６０よりも下側に位置する設定であるためである。
【００２２】
つづいて、図７に示すように、シールド２０を相対的に若干傾けた状態を維持しつつ、ＨＤＭＩコネクタ６０に並設されているＲＣＡコネクタ８５をコネクタ用開口９２に挿通させる。
【００２３】
基板９５の先端部分がシールド２０の前面部２２の内面に当接したら、シールド２０の傾きがもとに戻される。すると、コネクタ固定部４０の先端凸部４４がＨＤＭＩコネクタ６０のコネクタ天面部６２に当接する。そして、基板固定部２５等に設けられたねじ穴等と基板の所定のねじ穴とが一致するので、ねじ固定すると、先端凸部４４がＨＤＭＩコネクタ６０のコネクタ天面部６２に所定の圧力で当接する。その結果、所定の接地が実現される。
【００２４】
コネクタ固定部４０にこのような構成を採用したことで、シールド２０を基板９５に取り付ける際に、コネクタ固定部４０の先端凸部４４が、ＨＤＭＩコネクタ６０のコネクタ天面部６２の中腹に確実に当接する。
【００２５】
また、一般に、コネクタ用開口３０は、ＨＤＭＩコネクタ６０より大きめに設計されることから、従来の構成では、ユーザが想定外の使用をした場合等において、クリップ等の混入の可能性があった。しかし、本実施形態では、ＨＤＭＩコネクタ６０の前方側（外側方向側）がコネクタ固定部４０の基部４２に覆われて露出せず、また、先端凸部４４がありゼロ嵌合でないことから異物混入を効果的に防止できる。
【００２６】
また、ＨＤＭＩコネクタ６０の中央部分で当接するので、取り付け作業の際に、的確にシールド２０の当てを確保できる。また、シールド２０の天面部２１部分ではなく、前面部２２に形成されたコネクタ用開口３０から延出して屈曲するコネクタ固定部４０であるので、ＨＤＭＩコネクタ６０より背の高い部品（例えば、ＲＣＡコネクタ８５）が同列に並んでも、シールド２０とＨＤＭＩコネクタ６０を適切に接合できる。つまり、シールド２０の高さに依らない側面位置で、ＨＤＭＩコネクタ６０とシールド２０の接合を確保できる。その結果、設計の自由度が向上する。また、ＨＤＭＩコネクタ６０のコネクタ用開口３０としての抜き加工部分を使っているので、曲げ部分が従来より大きく確保できるので、衝撃時や加工時・輸送時にズレや変形が発生しにくい。さらに、従来とは異なり、ＨＤＭＩコネクタ６０がシールド２０からむき出しになっておらず、静電が直接ＨＤＭＩコネクタ６０に飛ぶことが防止できる。
【００２７】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【００２８】
例えば、図９（ａ）のように、コネクタ用開口３０ａから延出するコネクタ固定部４０ａが左右に分割して構成され、コネクタ固定部４０ａの左右のいずれかが（ここでは図示右側）、コネクタ用開口３０ａの下辺部分で折り曲がって構成されてもよい。つまり、シールド２０を基板９５に固定する際に、コネクタ固定部４０ａ（基部４２ａ、先端凸部４４ａ）がＨＤＭＩコネクタ６０を上下から押さえることになる。また、図９（ｂ）のように、コネクタ用開口３０ｂから延出するコネクタ固定部４０ｂが上下二つに分割されて構成されてもよい。同様に、シールド２０を基板９５に固定する際に、コネクタ固定部４０ｂ（基部４２ｂ、先端凸部４４ｂ）がＨＤＭＩコネクタ６０を上下から押さえることになる。ただし、ＨＤＭＩコネクタ６０の下面は基板９５に固定される部分であるので、基板９５とＨＤＭＩコネクタ６０の接続部分等において干渉防止構造が適用される必要がある。
【符号の説明】
【００２９】
２０  シールド
２１  天面部
２２  前面部
３０、３０ａ、３０ｂ  コネクタ用開口
４０、４０ａ、４０ｂ  コネクタ固定部
４２、４２ａ、４２ｂ  基部
４４、４４ａ、４４ｂ  先端凸部（加工部）
６０  ＨＤＭＩコネクタ
６２  コネクタ天面部
９５  基板
【図１】
2014057030.tif 000003
【図２】
2014057030.tif 000004
【図３】
2014057030.tif 000005
【図４】
2014057030.tif 000006
【図５】
2014057030.tif 000007
【図６】
2014057030.tif 000008
【図７】
2014057030.tif 000009
【図８】
2014057030.tif 000010
【図９】
2014057030.tif 000011
【図１０】
2014057030.tif 000012
【図１１】
2014057030.tif 000013